(57)【特許請求の範囲】
【請求項１】
光ファイバの端末に取り付けられる第１のフェルールと、光ファイバの端末に取り付けられる第２のフェルールと、前記第１のフェルール及び前記第２のフェルールを収容するコネクタハウジングと、を備えた光コネクタであって、
前記コネクタハウジングが、前記第１のフェルールを通す第１の通し孔と、前記第２のフェルールを通す第２の通し孔と、前記第１のフェルールを収容する第１の格納室と、前記第２のフェルールを収容する第２の格納室と、を備え、
前記第１のフェルールが、前記光ファイバの端末を収容する第1の筒部と、前記筒部と同軸で円環状に形成されて前記第1の筒部の外面から突出した第１の凸部とを備え、そして
前記第２のフェルールが、前記光ファイバの端末を収容する第２の筒部と、前記筒部と同軸で円環状に形成されて前記第２の筒部の外面から突出した第２の凸部とを備えた光コネクタにおいて、
前記第１の凸部における前記第１のフェルールの長手方向に直交する方向の最長部の長さが、前記第２の凸部における前記第２のフェルールの長手方向に直交する方向の最長部の長さより長く、
前記第１の通し孔は前記第１の凸部の外形形状に対応しているとともに、前記第２の通し孔は前記第２の凸部の外形形状に対応していることを特徴とする光コネクタ。
【請求項２】
前記第１の格納室が、挿入された第１のフェルールに係止する第１の係止部と、前記第１の係止部が第１のフェルールに係止すると前記第１の凸部につきあたる第１の段差部とを備え、
前記第２の格納室が、挿入された第２のフェルールに係止する第２の係止部と、前記第２の係止部が第２のフェルールに係止すると前記第２の凸部につきあたる第２の段差部とを備え、そして
前記第１のフェルールの長手方向の前記第１の凸部の厚みは、前記第２のフェルールの長手方向の前記第２の凸部の厚みより薄い
ことを特徴とする請求項１記載の光コネクタ。
【発明の詳細な説明】
【０００１】
【発明の属する技術分野】
本発明は、信号光を伝送する光ファイバの端末を収容する光コネクタを関する。
【０００２】
【従来の技術】
従来、自動車の補機等の接続には組電線であるワイヤハーネスが用いられていた。しかしながら、近年の補機やその回路数の増加等に伴って、電気信号を伝送する際に生じるノイズが増加するという問題を生じている。この種の問題を解消するためにワイヤハーネスの一部に光ファイバケーブルを用いて補機等に信号を送る光ファイバ通信システムが提案されている。
【０００３】
前記光ファイバ通信システムでは、光ファイバケーブルから伝送されてくる信号光を電気信号に変換し、かつ前記電気信号を信号光に変換するために、例えば、特開平１０−１５３７２２号公報に記載した光コネクタが提案されている。
【０００４】
前記公報に記載された光コネクタは、光ファイバの端末に取り付けられるフェルールと、前記フェルールを収容するコネクタハウジングとを備えている。フェルールは、一対設けられている。一対のフェルールは、同形状である。フェルールは、筒状に形成されかつ内側に光ファイバの端末を収容する。コネクタハウジングは、角筒状に形成されている。コネクタハウジングは、前記フェルールを収容する格納室を一対備えている。前述した構成の光コネクタは、光受信モジュールと、光送信モジュールとを備えた相手側の光コネクタと結合する。
【０００５】
このため、前述した公報に記載された光コネクタの一対のフェルールのうち一方のフェルールに取り付けられる光ファイバは、光送信モジュールと光学的に接続する。また、他方のフェルールに取り付けられる光ファイバは、光受信モジュールと光学的に接続する。
【０００６】
こうして、前述した従来の光コネクタは、相手側の光コネクタと結合することにより、一方のフェルールに取り付けられる光ファイバが、前述した相手側の光コネクタの光送信モジュールからの信号光を伝送する。他方のフェルールに取り付けられる光ファイバが、前述した相手側の光コネクタの光受信モジュールに向かって信号光を伝送する。
【０００７】
【発明が解決しようとする課題】
前述した従来の光コネクタは、一方のフェルールに取り付けられる光ファイバの信号光の伝送方向と、他方のフェルールに取り付けられる光ファイバの信号光の伝送方向とが、互いに逆向きである。このため、前述した光コネクタを組み立てる際には、必ず所望の格納室に所望のフェルールを収容する必要があった。
【０００８】
しかしながら、前述した公報に記載された光コネクタでは、一対のフェルールが互いに同形状であるため、必ず所望の格納室に所望のフェルールを収容することが困難であった。このように、前述した公報に記載された光コネクタは、容易に組み立てることが困難であるとともに、フェルールを所望の格納室内に収容できずに誤組み付けする虞があった。
【０００９】
したがって、本発明の目的は、フェルールを誤組み付けすることなく容易に組み立てることができる光コネクタを提供することにある。
【００１０】
【課題を解決するための手段】
前記課題を解決し目的を達成するために、請求項１に記載の本発明の光コネクタは、光ファイバの端末に取り付けられる第１のフェルールと、光ファイバの端末に取り付けられる第２のフェルールと、前記第１のフェルール及び前記第２のフェルールを収容するコネクタハウジングと、を備えた光コネクタであって、前記コネクタハウジングが、前記第１のフェルールを通す第１の通し孔と、前記第２のフェルールを通す第２の通し孔と、前記第１のフェルールを収容する第１の格納室と、前記第２のフェルールを収容する第２の格納室と、を備え、前記第１のフェルールが、前記光ファイバの端末を収容する第1の筒部と、前記筒部と同軸で円環状に形成されて前記第1の筒部の外面から突出した第１の凸部とを備え、そして前記第２のフェルールが、前記光ファイバの端末を収容する第２の筒部と、前記筒部と同軸で円環状に形成されて前記第２の筒部の外面から突出した第２の凸部とを備えた光コネクタにおいて、前記第１の凸部における前記第１のフェルールの長手方向に直交する方向の最長部の長さが、前記第２の凸部における前記第２のフェルールの長手方向に直交する方向の最長部の長さより長く、前記第１の通し孔は前記第１の凸部の外形形状に対応しているとともに、前記第２の通し孔は前記第２の凸部の外形形状に対応していることことを特徴としている。
【００１１】
請求項２に記載の本発明の光コネクタは、請求項１記載の光コネクタにおいて、前記第１の格納室が、挿入された第１のフェルールに係止する第１の係止部と、前記第１の係止部が第１のフェルールに係止すると前記第１の凸部につきあたる第１の段差部とを備え、前記第２の格納室が、挿入された第２のフェルールに係止する第２の係止部と、前記第２の係止部が第２のフェルールに係止すると前記第２の凸部につきあたる第２の段差部とを備え、そして前記第１のフェルールの長手方向の前記第１の凸部の厚みは、前記第２のフェルールの長手方向の前記第２の凸部の厚みより薄いことを特徴としている。
【００１３】
請求項１に記載した本発明によれば、第２のフェルールは第１の格納室に挿入されても、この第１の格納室から抜け出る。このため、挿入した後、抜き取る方向に移動させることにより、第２のフェルールは、第２の格納室のみに挿入され続けることとなる。第１のフェルールは第２の格納室に侵入できない。このため、第１のフェルールは第１の格納室のみに挿入される。
【００１４】
請求項１に記載した本発明によれば、光ファイバ端末を収容する筒部と同軸で円環状に形成された前記第１の凸部における前記第１のフェルールの長手方向に直交する方向の最長部の長さが、光ファイバ端末を収容する筒部と同軸で円環状に形成された前記第２の凸部における前記第２のフェルールの長手方向に直交する方向の最長部の長さより長く、前記第１の通し孔は前記第１の凸部の外形形状に対応しているとともに、前記第２の通し孔は前記第２の凸部の外形形状に対応しているので、第１のフェルールは第２の格納室に侵入できない。このため、第１のフェルールは第１の格納室のみに挿入される。
【００１５】
請求項２に記載した本発明によれば、第２の凸部の長手方向の厚みが第１の凸部の厚みより厚い。このため、第２のフェルールを第１の通し孔を通して第１の格納室に挿入することができても、第２の凸部が第１の段差部につきあたった状態で、第１の係止部が第２のフェルールに係止できない。そうすると、第２のフェルールを第１の格納室へ挿入したときは、係止されない第２のフェルールを引き抜くことができるので、第１の格納室には第１の格納室で係止される第１のフェルールのみが収められることとなる。
【００１６】
【発明の実施の形態】
以下に本発明の一実施形態にかかる光コネクタを図１ないし図２８を参照して説明する。本発明の一実施形態にかかる光コネクタ１は、図示しない相手側の光コネクタと結合して、信号光を伝送する。光コネクタ１は、図１ないし図１１に示すように、一対のフェルール２と、コネクタハウジング３０と、を備えている。
【００１７】
フェルール２には、それぞれ、光ファイバケーブル５が取り付けられる。この光ファイバケーブル５は、図２に示すように、導光材料からなる光ファイバ６と、第１シース部７と、第２シース部８とを備えている。光ファイバ６は、互いに屈折率が異なるように形成されかつ互いに同軸的に配されたコアとクラッドとを備えた従来から周知のマルチモードプラスチック光ファイバである。
【００１８】
第１及び第２シース部７，８は、それぞれ絶縁性を有する合成樹脂から形成されている。第１シース部７は、光ファイバ６を被覆して保護している。第２シース部８は、光ファイバ６及び第１シース部７を被覆して保護している。光ファイバケーブル５は、それぞれ端末において、光ファイバ６と、第１シース部７とが、端に向かって段階的に露出するように、前記第１及び第２シース部７，８が剥がされている。
【００１９】
フェルール２は、それぞれ金属からなる。一対のフェルール２のうち図２中手前側のフェルール２を以下第１のフェルールと呼び符号２ａで示す。図２中奥側のフェルール２を以下第２のフェルールと呼び符号２ｂで示す。第１及び第２のフェルール２ａ，２ｂは、図２、図４ないし図７、図１２及び図１３に示すように、円筒状の筒部９と、この筒部９の外面から突出した複数の鍔１０，１１，１２を備えている。筒部９は、段階的に内外径が変化している。
【００２０】
鍔１０，１１，１２は、筒部９の外面全周から該筒部９の外周に向かって突出して円環状に形成されている。鍔１０，１１，１２は、筒部９と同軸的に配されている。鍔１０，１１，１２は、一つのフェルール２ａ，２ｂに３つ設けられている。これら３つの鍔１０，１１，１２は、筒部９の長手方向即ち第１及び第２のフェルール２ａ，２ｂの軸芯（光ファイバ６の長手方向）に沿って互いに間隔をあけている。
【００２１】
第１のフェルール２ａの鍔１０，１１，１２のうち図中中央に位置する鍔１１（図１４などに示す）は、本明細書に記した第１の凸部をなしており、以下符号１１ａで示す。第２のフェルール２ｂの鍔１０，１１，１２のうち図中中央に位置する鍔１１（図１６などに示す）は、本明細書に記した第２の凸部をなしており、以下符号１１ｂで示す。
【００２２】
鍔１１ａ，１１ｂは、円環状に形成されている。鍔１１ａの外径Ｄ１（図１４に示す）は、鍔１１ｂの外径Ｄ２（図１６に示す）より大きい。鍔１１ａ，１１ｂの外径Ｄ１，Ｄ２は、第１及び第２のフェルール２ａ，２ｂに取り付けられる光ファイバ６の長手方向（第１及び第２のフェルール２ａ，２ｂの挿入方向Ｔ）に直交する方向の鍔１１ａ，１１ｂにおける最長となる部分（請求項の最長部に相当）の長さである。また、鍔１１ｂの光ファイバ６の長手方向（第１及び第２のフェルール２ａ，２ｂの挿入方向Ｔ）の厚みＴ２（図１５に示す）は、鍔１１ａの光ファイバ６の長手方向に沿う厚みＴ１（図１３に示す）より厚い。
【００２３】
前述した構成の第１及び第２のフェルール２ａ，２ｂは、筒部９の内側に光ファイバケーブル５の端末の光ファイバ６を収容する。こうして、第１及び第２のフェルール２ａ，２ｂは、光ファイバ６の端末に取り付けられる。それぞれの第１及び第２のフェルール２ａ，２ｂは、光ファイバケーブル５の端末と固定されている。
【００２４】
コネクタハウジング３０は、ハウジング３と、スペーサ４（図２ないし図７に示す）と、を備えている。ハウジング３は、合成樹脂からなる。ハウジング３は、互いに連なる複数の外壁１３により、箱状に形成されている。ハウジング３を構成する複数の外壁１３のうち図１ないし図４中上方に位置する一つの外壁１３（以下符号１３ａで示す）に、相手側の光コネクタと結合する際にこの相手側の光コネクタに係合するロックアーム１４を設けている。
【００２５】
ロックアーム１４は、弾性変形自在となっている。ロックアーム１４は、相手側の光コネクタと結合する際に、一旦弾性変形した後、弾性復元力により弾性変形していない初期位置に変位する。そして、ロックアーム１４は、前述した相手側の光コネクタのコネクタハウジングに係止する。
【００２６】
また、前述した複数の外壁１３のうち図１ないし図４中下方に位置する他の外壁１３（以下符号１３ｂで示す）に、図５ないし図１０に示すように、開口部１５を設けている。開口部１５は、前述した他の外壁１３ｂを貫通しており、ハウジング３の内側と外側とを連通している。
【００２７】
さらに、ハウジング３は、一対の格納室１６と、これらの格納室１６それぞれに一対設けられた挟み部１７（図１９及び図２０に示す）と、案内手段としての第１の傾斜面１８と、案内手段としての第２の傾斜面１９とを備えている。一対の格納室１６は、ハウジング３内に収容されている。一対の格納室１６は、互いに平行である。
【００２８】
一対の格納室１６のうち図２手前側の格納室を以下第１の格納室と呼び、符号１６ａで示す。図２中奥側の格納室を以下第２の格納室と呼び、符号１６ｂで示す。
【００２９】
第１の格納室１６ａは、一対の第１の開口部３１ａ，３１ｂと、第１の係止部としての第１のランス２６ａと、第１の段差部２８ａを備えている。一方の第１の開口部３１ａは、ハウジング３の図１中手前側の外壁１３（以下符号１３ｃで示す）に開口している。他方の第１の開口部３１ｂは、前述した一方の第１の開口部３１ａと相対し、かつ図１２に示すように、図１中奥側の外壁１３（以下符号１３ｄで示す）に開口している。第１の格納室１６ａは、図５ないし図７に示すように、前述した一対の第１の開口部３１ａ，３１ｂを備えてハウジング３を貫通している。一対の第１の開口部３１ａ，３１ｂのうち他方の第１の開口部３１ｂは、本明細書に記した第１の通し孔をなしている。
【００３０】
一対の第１の開口部３１ａ，３１ｂは、図１２などに示すように、それぞれ、互いに連なる大孔２０ａと小孔２１ａとを備えて、瓢箪形状（雪だるま形状）に形成されている。なお、図１２には、第１の開口部３１ｂのみ図示している。第１の開口部３１ａ，３１ｂが同形状であるので、第１の開口部３１ａの図示を省略する。
【００３１】
大孔２０ａと小孔２１ａとは、それぞれ円形に形成されている。大孔２０ａの内径は、鍔１１ａの外径Ｄ１と等しい。こうして、大孔２０ａは、鍔１１ａの平面形状（外形）に沿って形成されている。このため、大孔２０ａ即ち第１の開口部３１ｂは、内側に鍔１１ａ即ち第１のフェルール２ａが通ることを許容する。
【００３２】
このように、大孔２０ａ即ち第１の開口部３１ｂは、鍔１１ａの外形形状に対応した形状に形成されている。第１の開口部３１ａ，３１ｂは、大孔２０ａが前述した開口部１５寄りに位置し、小孔２１ａがロックアーム１４寄りに位置している。勿論、大孔２０ａの内径が小孔２１ａの内径より大きい。
【００３３】
第１のランス２６ａは、スペーサ４の後述する通し部２３の円筒２７内に配されている。第１のランス２６ａは、スペーサ４がハウジング３に取り付けられると第１の格納室１６ａ内に位置する。第１のランス２６ａは、一端が後述のスペーサ本体２２と一体でかつ他端がスペーサ本体２２から離れたアーム状に形成されている。第１のランス２６ａは、弾性変形自在であり、かつ他端がスペーサ本体２２に近づいたり離れる（接離する）。第１のランス２６ａの他端には、第１のフェルール２ａの鍔１１ａ，１２間に係止する係止突起２９ａ（図５ないし図７に示す）が設けられている。
【００３４】
係止突起２９ａは、第１のフェルール２ａの鍔１１ａを第１の段差部２８ａとの間に挟む。係止突起２９ａが鍔１１ａを第１の段差部２８ａとの間に挟む状態を、第１のランス２６ａが第１のフェルール２ａを係止した状態と呼ぶ。こうして、第１のランス２６ａは、第１のフェルール２ａに係止して、この第１のフェルール２ａが第１の格納室１６ａから抜け出ることを規制する。
【００３５】
第１のランス２６ａの係止突起２９ａと第１の段差部２８ａとの間隔Ｗ１（図５に示す）は、第１のフェルール２ａの鍔１１ａの厚みＴ１（図１３に示す）と等しい。このため、第１の格納室１６ａに第２のフェルール２ｂが挿入されても、図１８に示すように、第１のランス２６ａが鍔１１ｂと干渉して、鍔１１ｂを第１の段差部２８ａとの間に挟まない。こうして、第１の格納室１６ａに第２のフェルール２ｂが挿入されても、第１のランス２６ａが第２のフェルール２ｂに係止しない。第１の格納室１６ａは、第２のフェルール２ｂが侵入しても、この第２のフェルール２ｂが抜け出ることを許容する。
【００３６】
第１の段差部２８ａは、スペーサ４がハウジング３に取り付けられた際に、他方の第１の開口部３１ｂから一方の第１の開口部３１ａに向かってスペーサ４の後述する円筒２７内を段階的に狭くしている。第１の段差部２８ａには、円筒２７内に収容された第１及び第２のフェルール２ａ，２ｂの中央に位置する鍔１１ａ，１１ｂがつきあたる。第１の段差部２８ａに鍔１１ａ，１１ｂがつきあたると、第１及び第２のフェルール２ａ，２ｂの先端側の鍔１０が矢印Ｓに沿って第１の傾斜面１８と相対するとともに、第１及び第２のフェルール２ａ，２ｂの基端側の鍔１２の面１２ａが矢印Ｓに沿って第２の傾斜面１９と相対する。
【００３７】
第２の格納室１６ｂは、一対の第２の開口部３２ａ，３２ｂと、第２の係止部としての第２のランス２６ｂと、第２の段差部２８ｂを備えている。一方の第２の開口部３２ａは、ハウジング３の図１中手前側の外壁１３ｃに開口している。他方の第２の開口部３２ｂは、前述した一方の第２の開口部３２ａと相対し、かつ図１２に示すように、図１中奥側の外壁１３ｄに開口している。第２の格納室１６ｂは、図８ないし図１０に示すように、前述した一対の第２の開口部３２ａ，３２ｂを備えてハウジング３を貫通している。一対の第２の開口部３２ａ，３２ｂのうち他方の第２の開口部３２ｂは、本明細書に記した第２の通し孔をなしている。
【００３８】
一対の第２の開口部３２ａ，３２ｂは、図１２に示すように、それぞれ、互いに連なる大孔２０ｂと小孔２１ｂとを備えて、瓢箪形状（雪だるま形状）に形成されている。なお、図１２には、第２の開口部３２ｂのみ図示している。第２の開口部３２ａ，３２ｂは、同形状であるので、第２の開口部３２ａの図示を省略する。
【００３９】
大孔２０ｂと小孔２１ｂとは、それぞれ円形に形成されている。大孔２０ｂの内径は、鍔１１ｂの外径Ｄ２と等しい。こうして、大孔２０ｂは、鍔１１ｂの平面形状（外形）に沿って形成されている。このため、大孔２０ｂ即ち第２の開口部３２ｂは、内側に鍔１１ｂ即ち第２のフェルール２ｂが通ることを許容するとともに、図１７に示すように内側に鍔１１ａ即ち第１のフェルール２ａが通ることを規制する（第１のフェルール２ａを通さない）。こうして、第２の格納室１６ｂは、第１のフェルール２ａが侵入することを規制する。
【００４０】
このように、大孔２０ｂ即ち第２の開口部３２ｂは、鍔１１ｂの外形形状に対応した形状に形成されている。第２の開口部３２ａ，３２ｂは、大孔２０ｂが前述した開口部１５寄りに位置し、小孔２１ｂがロックアーム１４寄りに位置している。勿論、大孔２０ｂの内径が小孔２１ｂの内径より大きい。
【００４１】
第２のランス２６ｂは、スペーサ４の通し部２３の円筒２７内に配されている。第２のランス２６ｂは、スペーサ４がハウジング３に取り付けられると第２の格納室１６ｂ内に位置する。第２のランス２６ｂは、一端がスペーサ本体２２と一体でかつ他端がスペーサ本体２２から離れたアーム状に形成されている。第２のランス２６ｂは、弾性変形自在であり、かつ他端がスペーサ本体２２に近づいたり離れる（接離する）。第２のランス２６ｂの他端には、第２のフェルール２ｂの鍔１１ｂ，１２間に係止する係止突起２９ｂ（図８ないし図１０に示す）が設けられている。
【００４２】
係止突起２９ｂは、第２のフェルール２ｂの鍔１１ｂを第２の段差部２８ｂとの間に挟む。係止突起２９ｂが鍔１１ｂを第２の段差部２８ｂとの間に挟む状態を、第２のランス２６ｂが第２のフェルール２ｂを係止した状態と呼ぶ。こうして、第２のランス２６ｂは、第２のフェルール２ｂに係止して、この第２のフェルール２ｂが第２の格納室１６ｂから抜け出ることを規制する。第２のランス２６ｂの係止突起２９ｂと第２の段差部２８ｂとの間隔Ｗ２（図８に示す）は、第２のフェルール２ｂの鍔１１ｂの厚みＴ２（図１５に示す）と等しい。
【００４３】
第２の段差部２８ｂは、スペーサ４がハウジング３に取り付けられた際に、他方の第２の開口部３２ｂから一方の第２の開口部３２ａに向かってスペーサ４の円筒２７内を段階的に狭くしている。第２の段差部２８ｂには、円筒２７内に収容された第２のフェルール２ｂの中央に位置する鍔１１ｂがつきあたる。第２の段差部２８ｂに鍔１１ｂがつきあたると、第２のフェルール２ｂの先端側の鍔１０が矢印Ｓに沿って第１の傾斜面１８と相対するとともに、第２のフェルール２ｂの基端側の鍔１２の面１２ａが矢印Ｓに沿って第２の傾斜面１９と相対する。
【００４４】
さらに、第１及び第２の格納室１６ａ，１６ｂは、前記他の外壁１３ｂを貫通した開口部１５と連なっているとともに、ハウジング３内で互いに連なっている。前述した第１及び第２の開口部３１ａ，３２ａが形成された外壁１３ｃの表面１３ｅは、本明細書に記した重なり面をなしている。
【００４５】
第１の格納室１６ａには、前記第１の開口部３１ｂを通して、光ファイバケーブル５と固定された第１のフェルール２ａが先端から挿入される。また、第２の格納室１６ｂには、前記第２の開口部３２ｂを通して、光ファイバケーブル５と固定された第２のフェルール２ｂが先端から挿入される。第１及び第２の格納室１６ａ，１６ｂは、それぞれ、光ファイバケーブル５と固定された第１及び第２のフェルール２ａ，２ｂを収容する。
【００４６】
第１及び第２の格納室１６ａ，１６ｂ即ちハウジング３は、フェルール２即ち光ファイバケーブル５の端末を収容する。第１及び第２の格納室１６ａ，１６ｂは、前述した第１及び第２の開口部３１ｂ，３２ｂの大孔２０ａ，２０ｂ内に通す許容位置と、第１及び第２の開口部３１ｂ，３２ｂの小孔２１ａ，２１ｂ内に通す規制位置との双方で、第１及び第２のフェルール２ａ，２ｂを収容可能である。
【００４７】
挟み部１７は、第１及び第２の格納室１６ａ，１６ｂそれぞれに一対設けられている。挟み部１７は、第１及び第２の格納室１６ａ，１６ｂの内面からこれら第１及び第２の格納室１６ａ，１６ｂの内側に向かって突出している。一対の挟み部１７は、後述する矢印Ｔに沿うスペーサ４への第１及び第２のフェルール２ａ，２ｂの挿入方向と、後述の矢印Ｓに沿うスペーサ４の変位方向との双方と交差する方向（図１９中に矢印Ｋで示す）に沿って相対している。図示例では、矢印Ｋに沿う一対の挟み部１７が互いに相対する方向と、矢印Ｔと、矢印Ｓとは互いに直交している。
【００４８】
一対の挟み部１７間の間隔は、第１及び第２のフェルール２ａ，２ｂの筒部９の外径より若干小さい。一対の挟み部１７は、互いの間に第１及び第２のフェルール２ａ，２ｂの筒部９を挟む。一対の挟み部１７は、互いの間に第１及び第２のフェルール２ａ，２ｂを挟むことにより、矢印Ｋに沿って、ハウジング３に対し第１及び第２のフェルール２ａ，２ｂ即ち光ファイバ６を位置決めする。
【００４９】
また、挟み部１７の第１及び第２の開口部３１ｂ，３２ｂ寄りの端面１７ａは、矢印Ｓに沿って平坦である。この端面１７ａは、本明細書に記した重なり面をなしている。前述した表面１３ｅと端面１７ａとの距離Ｌ１（図５及び図８に示す）は、前述した３つ（複数）の鍔１０，１１，１２のうち互いに最も離れた一対の鍔１０，１２の互いに相対する面１０ａ，１２ａ間の距離Ｌ２（図５及び図８に示す）以上である。なお、距離Ｌ１は、本明細書に記した重なり面間の距離をなしている。さらに、図示例では、距離Ｌ１は、距離Ｌ２より若干長い。
【００５０】
第１の傾斜面１８は、一対設けられている。第１の傾斜面１８は、前記第１及び第２の開口部３１ａ，３２ａが形成された外壁１３ｃの表面１３ｅと、第１及び第２の格納室１６ａ，１６ｂの内面とに亘って形成されている。第１の傾斜面１８は、前記第１及び第２の開口部３１ａ，３２ａの内縁に設けられている。第１の傾斜面１８は、前述した矢印Ｔ，Ｓ，Ｋに対し傾斜している。
【００５１】
第２の傾斜面１９は、一対設けられている。第２の傾斜面１９は、前記挟み部１７の端面１７ａと、第１及び第２の格納室１６ａ，１６ｂの内面とに亘って形成されている。第２の傾斜面１９は、一対の挟み部１７の互いに相対する縁に設けられている。第２の傾斜面１９は、前述した矢印Ｔ，Ｓ，Ｋに対し傾斜している。
【００５２】
前述した構成によれば、第１及び第２の傾斜面１８，１９は、第１及び第２の格納室１６ａ，１６ｂの内面から離れるのにしたがって、徐々に互いに離れる方向に傾斜している。また、スペーサ４が後述するように許容位置から規制位置に向かって変位する際に、第１の傾斜面１８が第１及び第２のフェルール２ａ，２ｂの先端側の鍔１０と接触する。先端側の鍔１０の面１０ａが外壁１３ｃの表面１３ｅに重なった後、第２の傾斜面１９が第１及び第２のフェルール２ａ，２ｂの基端側の鍔１２に接触する位置に、前述した第１及び第２の傾斜面１８，１９が配されている。
【００５３】
スペーサ４は、スペーサ本体２２と、このスペーサ本体２２に取り付けられた通し部２３とを一体に備えている。スペーサ本体２２は、平面形状が矩形状の板状に形成されている。スペーサ本体２２には、図２などに示すように、複数の係止部２４が設けられている。スペーサ本体２２には前述した第１及び第２のランス２６ａ，２６ｂが一体に形成されている。
【００５４】
係止部２４は、スペーサ本体２２の外縁に設けられている。係止部２４は、それぞれ、ハウジング３の開口部１５の内側に係止可能な係止爪２５を一対備えている。これら一対の係止爪２５は、スペーサ４が開口部１５を通してハウジング３内に挿入される方向即ちスペーサ４の後述する許容位置から規制位置に向かって変位する方向（図中の矢印Ｓに沿う方向）に沿って、互いに間隔をあけている。一対の係止爪２５は、スペーサ本体２２の表面に対し直交する方向に沿って互いに間隔をあけている。
【００５５】
通し部２３は、一対の円筒２７を備えている。一対の円筒２７は、互いに平行である。一対の円筒２７には、それぞれ、複数の開口が設けられている。円筒２７は、内側に第１及び第２のフェルール２ａ，２ｂを通すことができる。円筒２７は、前述した一対の係止爪２５のうちスペーサ本体２２から離れた側の係止爪２５がハウジング３に係止すると、第１及び第２の開口部３１ｂ，３２ｂの大孔２０ａ，２０ｂと連通する。また、円筒２７は、スペーサ本体２２寄りの係止爪２５がハウジング３に係止すると、第１及び第２の開口部３１ｂ，３２ｂの小孔２１ａ，２１ｂと連通する。
【００５６】
前述した構成によれば、通し部２３は、円筒２７内に第１及び第２のフェルール２ａ，２ｂを通して、これら第１及び第２のフェルール２ａ，２ｂを収容する。
【００５７】
前述した構成のスペーサ４は、開口部１５を通して、通し部２３からハウジング３内に挿入される。一対の係止爪２５のうちスペーサ本体２２から離れた側の係止爪２５がハウジング３に係止すると、通し部２３の円筒２７が第１及び第２の開口部３１ｂ，３２ｂの大孔２０ａ，２０ｂと連通する。このとき、第１及び第２の開口部３１ｂ，３２ｂの大孔２０ａ，２０ｂを通して、第１及び第２のフェルール２ａ，２ｂがハウジング３に挿入することが許容される。
【００５８】
第１及び第２のフェルール２ａ，２ｂは、図４中の矢印Ｔに沿う光ファイバケーブル５の軸芯に沿って、円筒２７即ちハウジング３に挿入される。第１及び第２のフェルール２ａ，２ｂに、第１及び第２のランス２６ａ，２６ｂが係止する。なお、前記矢印Ｔは、第１及び第２のフェルール２ａ，２ｂの挿入方向をなしており、スペーサ本体２２から離れた側の係止爪２５がハウジング３に係止したスペーサ４の位置は、許容位置をなしている。即ち、許容位置では、スペーサ４は、第１及び第２のフェルール２ａ，２ｂがハウジング３に侵入することを許容する。
【００５９】
スペーサ本体２２から離れた側の係止爪２５がハウジング３に係止したスペーサ４を、前記矢印Ｔに直交（交差）する図中の矢印Ｓに沿ってハウジング３内に押し込む。すると、スペーサ本体２２寄りの係止爪２５がハウジング３に係止するとともに、スペーサ本体２２とハウジング３の外壁１３ｂとが略面一となる（表面が同一平面上に位置する）。
【００６０】
そして、円筒２７が第１及び第２の開口部３１ｂ，３２ｂの小孔２１ａ，２１ｂと連通するとともに、互いに最も離れた一対の鍔１０，１２の面１０ａ，１２ａが、外壁１３ｃの表面１３ｅと挟み部１７の端面１７ａに重なる。第１及び第２のフェルール２ａ，２ｂ即ち光ファイバケーブル５がハウジング３から抜け出ることが規制される。
【００６１】
なお、スペーサ本体２２寄りの係止爪２５がハウジング３に係止したスペーサ４の位置は、規制位置をなしている。このため、規制位置では、スペーサ４は、ハウジング３から第１及び第２のフェルール２ａ，２ｂが抜け出ることを規制する。こうして、スペーサ４は、一対の係止爪２５のうち一方がハウジング３に係止することにより、前述した許容位置と規制位置との双方でハウジング３に取り付けられる。さらに、前記矢印Ｓはスペーサ４の変位方向をなしている。
【００６２】
前述した光コネクタ１は、以下のように組立られる。まず、光ファイバケーブル５の端末に第１及び第２のフェルール２ａ，２ｂを取り付けるとともに、開口部１５を通してスペーサ４の通し部２３をハウジング３内に挿入する。スペーサ本体２２から離れた側の係止爪２５をハウジング３に係止する。スペーサ４を許容位置に位置付ける。
【００６３】
図５に示すように、第１の開口部３１ｂに第１のフェルール２ａを相対させる。その後、第１のフェルール２ａを第１の開口部３１ｂの主に大孔２０ａを通してハウジング３内に挿入する。すると、係止突起２９ａが鍔１１ａと接触して、この係止突起２９ａが第１のフェルール２ａから離れる方向に第１のランス２６ａが一旦弾性変形する。鍔１１ａが係止突起２９ａを乗り越えると、係止突起２９ａが第１のフェルール２ａに近づいて、鍔１１ａが第１の段差部２８ａにつきあたる。そして、図６に示すように、第１のランス２６ａが第１のフェルール２ａに係止して、この第１のフェルール２ａが第１の格納室１６ａから抜け出ることが規制される。
【００６４】
また、図８に示すように、第２の開口部３２ｂに第２のフェルール２ｂを相対させる。その後、第２のフェルール２ｂを第２の開口部３２ｂの主に大孔２０ｂを通してハウジング３内に挿入する。すると、係止突起２９ｂが鍔１１ｂと接触して、この係止突起２９ｂが第２のフェルール２ｂから離れる方向に第２のランス２６ｂが一旦弾性変形する。鍔１１ｂが係止突起２９ｂを乗り越えると、係止突起２９ｂが第２のフェルール２ｂに近づいて、鍔１１ｂが第２の段差部２８ｂにつきあたる。そして、図９に示すように、第２のランス２６ｂが第２のフェルール２ｂに係止して、この第２のフェルール２ｂが第２の格納室１６ｂから抜け出ることが規制される。
【００６５】
こうして、第１及び第２のランス２６ａ，２６ｂが第１及び第２のフェルール２ａ，２ｂに係止するとともに、中央に位置する鍔１１ａ，１１ｂが第１及び第２の段差部２８ａ，２８ｂにつきあたる。そして、先端側の鍔１０が、図２１に示すように、矢印Ｓに沿って、第１の傾斜面１８と相対する。さらに、図２５に示すように、矢印Ｓに沿って、基端側の鍔１２と第２の傾斜面１９とが相対する。
【００６６】
その後、矢印Ｓに沿ってスペーサ４をハウジング３の内側に押し込む。すると、まず、図２２に示すように、先端側の鍔１０が第１の傾斜面１８に接触する。そして、図２３に示すように、第１の傾斜面１８により第１及び第２のフェルール２ａ，２ｂが第１及び第２の開口部３１ａ，３２ａから突出する方向に変位した後、図２４に示すように、前記先端側の鍔１０の面１０ａが外壁１３ｃの表面１３ｅに重なる。その後、図２６に示すように、基端側の鍔１２が第２の傾斜面１９に接触する。
【００６７】
そして、図２７に示すように、第１及び第２のフェルール２ａ，２ｂが第１及び第２の開口部３１ｂ，３２ｂに向かって変位した後、図２８に示すように、基端側の鍔１２の面１２ａが挟み部１７の端面１７ａに重なる。このように、第１及び第２の傾斜面１８，１９は、スペーサ４が許容位置から規制位置に変位する際に、鍔１０，１２の面１０ａ，１２ａを外壁１３ｃの表面１３ｅと挟み部１７の端面１７ａ上に案内する。
【００６８】
こうして、図７及び図１０に示すように、第１及び第２のフェルール２ａ，２ｂが第１及び第２の開口部３１ａ，３２ｂの小孔２１ａ，２１ｂ内に通されるとともに、鍔１０，１２の面１０ａ，１２ａが外壁１３ｃの表面１３ｅと挟み部１７の端面１７ａとに重なる。スペーサ４が規制位置に位置付けられる。また、許容位置から規制位置に向かってスペーサ４が移動すると、一対の挟み部１７間の間隔が第１及び第２のフェルール２ａ，２ｂの筒部９の外径より若干狭いため、一対の挟み部１７間に第１及び第２のフェルール２ａ，２ｂの筒部９が圧入される。
【００６９】
そして、互いの間の間隔が若干拡がる方向に一対の挟み部１７が弾性変形する。そして、規制位置では、一対の挟み部１７間に第１及び第２のフェルール２ａ，２ｂの筒部９が挟まれる。こうして、前述した構成の光コネクタ１が組み立てられる。こうして組み立てられた光コネクタ１は、ロックアーム１４などによって、相手側の光コネクタと結合することで、光ファイバケーブル５の光ファイバ６で信号光を伝送する。
【００７０】
本実施形態によれば、第２のフェルール２ｂは第１の格納室１６ａに挿入されても、第１のランス２６ａが図１８に示すように係止しないので、抜き取る方向に移動させることにより、この第１の格納室１６ａから抜け出る。また、第２のフェルール２ｂは、第２の格納室１６ｂに挿入されると、第２のランス２６ｂが係止するので、抜き取る方向に移動させられても、第２の格納室１６ｂに挿入され続ける。
【００７１】
第１のフェルール２ａは、図１７に示すように、鍔１１ａと第２の開口部３２ｂの大孔２０ｂなどにより第２の格納室１６ｂに侵入できないため、第１の格納室１６ａのみに挿入される。このため、第１のフェルール２ａを第１の格納室１６ａに確実に挿入でき、第２のフェルール２ｂを第２の格納室１６ｂに確実に挿入できる。したがって、第１及び第２のフェルール２ａ，２ｂの誤組み付けを防止できる。
【００７２】
このように、第１のフェルール２ａを、第１及び第２の格納室１６ａ，１６ｂに挿入しようとするだけで、第１の格納室１６ａに確実に挿入できる。第２のフェルール２ｂを挿入してから引き抜く方向に移動させるだけで、第２のフェルール２ｂが第２の格納室１６ｂ内に挿入され続ける。したがって、第１の格納室１６ａに第１のフェルール２ａを収容しかつ第２の格納室１６ｂに第２のフェルール２ｂを収容した状態に容易に組み立てることができる。
【００７３】
さらに、第１のフェルール２ａが第１の格納室１６ａのみに収容され、第２のフェルール２ｂが第２の格納室１６ｂのみに収容され続ける。このため、この光コネクタ１の組立工程において、第１及び第２のフェルール２ａ，２ｂのうち第１のフェルール２ａを先に第１及び第２の格納室１６ａ，１６ｂに挿入しようとしてもよく、第２のフェルール２ｂを先に第１及び第２の格納室１６ａ，１６ｂに挿入してもよい。これらの場合、所望の格納室１６ａ，１６ｂに所望のフェルール２ａ，２ｂを収容した状態で、光コネクタ１を確実に組み立てることができる。したがって、光コネクタ１の組立工程における自由度を拡大することができる。
【００７４】
また、第１のフェルール２ａの鍔１１ａの外径Ｄ１が、第２のフェルール２ｂの鍔１１ｂの外径Ｄ２より大きい。こうして、第１のフェルール２ａの鍔１１ａの最長部の長さが、第２のフェルール２ｂの鍔１１ｂの最長部より長い。第２の開口部３２ｂが、第２のフェルール２ｂの鍔１１ｂの平面形状に沿って形成されており、該鍔１１ｂの外形形状に対応している。このため、第１のフェルール２ａの鍔１１ａが第２の開口部３２ｂを通ることができない。したがって、第１のフェルール２ａは第２の格納室１６ｂに侵入できない。
【００７５】
このため、第１のフェルール２ａをより確実に第１の格納室１６ａに収容できる。また、第１のフェルール２ａを第１及び第２の格納室１６ａ，１６ｂに挿入しようとするだけで、第１のフェルール２ａを第１の格納室１６ａにより確実に挿入できる。したがって、より確実に誤組み付けすることがないとともに、容易に組み立てることができる。
【００７６】
さらに、第２のフェルール２ｂの鍔１１ｂの厚みＴ２が第１のフェルール２ａの鍔１１ａの厚みＴ１より厚い。第１のランス２６ａが第１のフェルール２ａに係止すると鍔１１ａが第１の段差部２８ａにつきあたる。このため、第２のフェルール２ｂを第１の開口部３１ｂを通して第１の格納室１６ａに挿入すると、鍔１１ｂが第１の段差部２８ａにつきあたっても、第１のランス２６ａが第２のフェルール２ｂに係止できない。このため、第２のフェルール２ｂは、第１の格納室１６ａから確実に抜け出ることとなる。
【００７７】
したがって、第２のフェルール２ｂを第１及び第２の格納室１６ａ，１６ｂに挿入してから引き抜くことにより、第２の格納室１６ｂのみに収容し続けることができる。したがって、より確実に誤組み付けすることがないとともに、容易に組み立てることができる。
【００７８】
また、第１及び第２のフェルール２ａ，２ｂがスペーサ４の通し部２３の円筒２７内に挿入される方向Ｔと、スペーサ４の許容位置から規制位置に向かう変位方向Ｓが互いに直交（交差）している。このため、スペーサ４を規制位置に位置付けると、第１及び第２のフェルール２ａ，２ｂがハウジング３に対して移動しにくくなる。
【００７９】
ハウジング３の外壁１３ｃの表面１３ｅと挟み部１７の端面１７ａとの距離Ｌ１は、第１及び第２のフェルール２ａ，２ｂの互いに最も離れた一対の鍔１０，１２の互いに相対する面１０ａ，１２ａ間の距離Ｌ２より若干長い（距離Ｌ２以上である）。このため、スペーサ４を規制位置に位置付けて、鍔１０，１２の面１０ａ，１２ａを外壁１３ｃの表面１３ｅと挟み部１７の端面１７ａに重ねると、第１及び第２のフェルール２ａ，２ｂは、ハウジング３に対して確実に移動しなくなる。
【００８０】
したがって、自動車などに取り付けられた際に、この自動車の走行中の振動などにより第１及び第２のフェルール２ａ，２ｂが振動することを防止でき、第１及び第２のフェルール２ａ，２ｂ即ち光ファイバ６が相手側のコネクタから離れることを防止できる。したがって、信号光の伝送効率を低下することを防止できる。
【００８１】
第１及び第２の傾斜面１８，１９が第１及び第２の格納室１６ａ，１６ｂの内面と、外壁１３ｃの表面１３ｅ及び挟み部１７の端面１７ａとに亘って形成されている。第１及び第２の傾斜面１８，１９が第１及び第２の格納室１６ａ，１６ｂの内面から離れるのにしたがって、徐々に互いに離れる方向に傾斜している。
【００８２】
このため、スペーサ４を許容位置から規制位置に向かって変位する際に、前述した第１及び第２の傾斜面１８，１９が鍔１０，１２と接触して、鍔１０，１２の面１０ａ，１２ａを外壁１３ｃの表面１３ｅと挟み部１７の端面１７ａ上に案内する。このため、スペーサ４を規制位置に確実に変位させることができる。第１及び第２のフェルール２ａ，２ｂ即ち光ファイバ６がハウジング３から抜け出ることを確実に防止できる。
【００８３】
また、規制位置で、一対の挟み部１７間に第１及び第２のフェルール２ａ，２ｂを挟み、かつこれら一対の挟み部１７が第１及び第２のフェルール２ａ，２ｂの挿入方向Ｔとスペーサ４の変位方向Ｓとの双方に直交（交差）する方向Ｋに沿って相対している。このため、第１及び第２のフェルール２ａ，２ｂは、挿入方向Ｔとスペーサ４の変位方向Ｓとの双方に直交（交差）する方向Ｋに沿って、ハウジング３に対して振動することが防止される。このため、第１及び第２のフェルール２ａ，２ｂ即ち光ファイバ６がハウジング３に対して移動することをより確実に防止でき、信号光の伝送効率の低下をより一層確実に抑制できる。
【００８４】
前述した実施形態では、鍔１１ａ，１１ｂを円環状（円形）に形成している。しかしながら、本発明では、図２９ないし図３１に示すように、鍔１１ａ，１１ｂを種々の形状に形成しても良い。この場合も、鍔１１ａの挿入方向Ｔに直交する方向の最長となる部分（最長部）における長さＤ１は、鍔１１ｂの挿入方向Ｔに直交する方向の最長となる部分（最長部）における長さＤ２より長い。
【００８５】
なお、図２９に示す例では、鍔１１ａ，１１ｂの平面形状を小判状に形成している。図３０に示す例では、鍔１１ａ，１１ｂを筒部９の外面から凸の突起に形成している。図３１に示す例では、鍔１１ａ，１１ｂの平面形状を六角形に形成している。又、鍔１１ａ，１１ｂは、互いに同形状（相似形）でも良く、互いに異なる形状でも良い。
【００８６】
なお、前述した実施形態では、先端側の鍔１０が第１の傾斜面１８に接触して該先端側の鍔１０の面１０ａが外壁１３ｃの表面１３ｅに重なった後、基端側の鍔１２が第２の傾斜面１９に接触する。しかしながら、本発明では、基端側の鍔１２が第２の傾斜面１９に接触して該基端側の鍔１２の面１２ａが端面１７ａに重なった後、先端側の鍔１０が第１の傾斜面１８に接触しても良い。
【００８７】
要するに、本発明では、一対の鍔１０，１２のうち一方が、第１及び第２の傾斜面１８，１９のうち一方と接触して、外壁１３ｃの表面１３ｅまたは端面１７ａに重なった後、一対の鍔１０，１２のうち他方が、第１及び第２の傾斜面１８，１９のうち他方と接触すれば良い。このように、一方の鍔が一方の傾斜面に接触した後該一方の傾斜面に案内されて一方の重なり面に重なった後、他方の鍔が他方の傾斜面に接触して該他方の傾斜面に案内されて他方の重なり面に重なるのが望ましい。
【００８８】
こうすることで、鍔１０，１２の面１０ａ，１２ａ間の距離Ｌ２が、外壁１３ｃの表面１３ｅと端面１７ａとの距離Ｌ１より短くても、鍔１０，１２の面１０ａ，１２ａが、外壁１３ｃの表面１３ｅと端面１７ａとに重なる規制位置にスペーサ４を確実に変位できる。したがって、ハウジング３から第１及び第２のフェルール２ａ，２ｂ即ち光ファイバケーブル５の端末が抜け出ることを防止できる。
【００８９】
さらに、前述した実施形態では、距離Ｌ１を距離Ｌ２より若干長くしている。そして、許容位置で、矢印Ｓに沿って鍔１０と第１の傾斜面１８とが相対し、鍔１２と第２の傾斜面１９とが相対している。しかしながら、本発明では、距離Ｌ１と距離Ｌ２とを等しくして、鍔１０の面１０ａと外壁１３ｃの表面１３ｅとが同一平面上に位置し、鍔１２の面１２ａと端面１７ａとが同一平面上に位置しても良い。
【００９０】
前述した実施形態によれば、以下の光コネクタが得られる。
（付記１）  光ファイバ６の端末に取り付けられる第１及び第２のフェルール２ａ，２ｂを収容するハウジング３と、前記第１及び第２のフェルール２ａ，２ｂが前記ハウジング３に侵入することを許容する許容位置と前記第１及び第２のフェルール２ａ，２ｂが前記ハウジング３内から抜け出ることを規制する規制位置との双方で前記ハウジング３に取り付けられるスペーサ４と、を備えた光コネクタ１において、
前記スペーサ４は前記第１及び第２のフェルール２ａ，２ｂを通す通し部２３を備えており、
前記許容位置で前記光ファイバ６の長手方向に沿って第１及び第２のフェルール２ａ，２ｂが前記通し部２３に挿入されて、前記第１及び第２のフェルール２ａ，２ｂの挿入方向Ｔに交差する方向に沿って前記スペーサ４が前記許容位置から前記規制位置に変位することを特徴とする光コネクタ１。
（付記２）  前記第１及び第２のフェルール２ａ，２ｂは、光ファイバ６の端末を収容する筒部９と、前記筒部９の外面から突出しかつ前記光ファイバ６の長手方向に沿って互いに間隔をあけた複数の鍔１０，１１，１２と、を備え、
前記ハウジング３は、前記スペーサ４が前記規制位置に位置付けられると、複数の鍔１０，１１，１２のうち互いに最も離れた一対の鍔１０，１２の互いに相対する面１０ａ，１２ａと重なる重なり面１３ｅ，１７ａを一対備え、
前記一対の重なり面１３ｅ，１７ａ間の距離Ｌ１が前記一対の鍔１０，１２の面１０ａ，１２ａ間の距離Ｌ２以上であることを特徴とする付記１記載の光コネクタ１。
（付記３）  前記ハウジング３は、前記スペーサ４が許容位置から規制位置に変位する際に、前記鍔１０，１２の面１０ａ，１２ａを前記重なり面１３ｅ，１７ａ上に案内する案内手段１８，１９を備えたことを特徴とする付記２記載の光コネクタ１。
（付記４）  前記ハウジング３は、前記第１及び第２のフェルール２ａ，２ｂを収容する第１及び第２の格納室１６ａ，１６ｂを備え、
前記案内手段は、前記第１及び第２の格納室１６ａ，１６ｂの内面と前記重なり面１３ｅ，１７ａとに亘って形成されかつ前記第１及び第２のフェルール２ａ，２ｂの挿入方向Ｔに沿って間隔をあけた一対の傾斜面１８，１９であり、一対の傾斜面１８，１９は、前記内面から重なり面１３ｅ，１７ａに向かうにしたがって互いに徐々に離れる方向に、前記挿入方向Ｔと前記スペーサ４の変位方向Ｓとの双方に対して傾斜していることを特徴とする付記３記載の光コネクタ１。
（付記５）  前記ハウジング３は、前記第１及び第２のフェルール２ａ，２ｂの挿入方向Ｔと前記スペーサ４の変位方向Ｓとの双方に交差する方向に沿って相対しかつ前記規制位置で互いの間に前記第１及び第２のフェルール２ａ，２ｂを挟む一対の挟み部１７を備えたことを特徴とする付記１ないし付記４のうちいずれか一項に記載の光コネクタ１。
【００９１】
【発明の効果】
請求項１に記載の本発明は、前記第１の凸部における前記第１のフェルールの長手方向に直交する方向の最長部の長さが、前記第２の凸部における前記第２のフェルールの長手方向に直交する方向の最長部の長さより長く、前記第１の通し孔は前記第１の凸部の外形形状に対応しているとともに、前記第２の通し孔は前記第２の凸部の外形形状に対応しているので、第１の凸部を有する第１のフェルールは第２の格納室に侵入できない。したがって、フェルールの誤組み付けを防止できる。
【００９３】
第２の通し孔が第１のフェルールの誤挿入を防ぐので、この光コネクタの組立工程において、第１及び第２のフェルールのうちどちらを先に格納室に挿入しようとしても所望の格納室に所望のフェルールを収容した状態で、光コネクタを確実に組み立てることができる。したがって、光コネクタの組立工程における自由度を拡大することができる。
【００９４】
請求項１に記載の本発明は、第１の凸部の最長部が第２の凸部の最長部より長い。第２の通し孔が第２の凸部の外形形状に対応している。このため、第１の凸部が第２の通し孔を通ることができない。したがって、第１のフェルールは第２の格納室に侵入できない。
【００９６】
請求項２に記載の本発明は、第２の凸部の厚みが第１の凸部の厚みより厚いので第２のフェルールを第１の格納室に挿入すると、第２の凸部が第１の段差部につきあたっても、第１の係止部が第２のフェルールに係止しない。このため、第２のフェルールは、第１の格納室から抜け出ることとなる。したがって、第２のフェルールを第１及び第２の格納室に挿入してから引き抜くという操作により、第２のフェルールは第２の格納室のみに収容し続けることができる。したがって、誤組み付けすることなく、かつ容易に組み立てることができる。
【図面の簡単な説明】
【図１】本発明の一実施形態に係る光コネクタを示す斜視図である。
【図２】図１に示された光コネクタを分解して示す斜視図である。
【図３】図１に示された光コネクタのスペーサを許容位置に位置付けた状態を示す斜視図である。
【図４】図３に示された光コネクタのハウジング内から第１及び第２のフェルールを取り出した状態を示す斜視図である。
【図５】図４中のＶ−Ｖ線に沿った断面図である。
【図６】図３中のＶＩ−ＶＩ線に沿った断面図である。
【図７】図１中のＶＩＩ−ＶＩＩ線に沿った断面図である。
【図８】図４中のＶＩＩＩ−ＶＩＩＩ線に沿った断面図である。
【図９】図３中のＩＸ−ＩＸ線に沿った断面図である。
【図１０】図１中のＸ−Ｘ線に沿った断面図である。
【図１１】図１中の矢印ＸＩ方向からみた光コネクタの下面図である。
【図１２】図２に示された光コネクタのハウジングを背面側からみた斜視図である。
【図１３】図２に示された光コネクタの第１のフェルールの斜視図である。
【図１４】図１３中のＡ−Ａ線に沿った断面図である。
【図１５】図２に示された光コネクタの第２のフェルールの斜視図である。
【図１６】図１５中のＢ−Ｂ線に沿った断面図である。
【図１７】図２に示された光コネクタの第２の格納室に第１のフェルールを挿入しようとした状態を示す断面図である。
【図１８】図２に示された光コネクタの第１の格納室に第２のフェルールを挿入した状態を示す断面図である。
【図１９】図６中のＣ−Ｃ線に沿った断面図である。
【図２０】図７中のＤ−Ｄ線に沿った断面図である。
【図２１】図３中のＥ−Ｅ線に沿った断面図である。
【図２２】図２１に示された状態からスペーサを規制位置に向かって変位させて、第１の傾斜面に鍔が接触した状態を拡大して示す断面図である。
【図２３】図２２に示された状態からスペーサを更に規制位置に向かって変位させて、第１の傾斜面に沿って鍔が移動した状態を拡大して示す断面図である。
【図２４】図２３に示された状態から鍔の面がコネクタハウジングの外壁の表面に重なった状態を拡大して示す断面図である。
【図２５】図１９中のＦ−Ｆ線に沿った断面図である。
【図２６】図２５に示された状態からスペーサを規制位置に向かって変位させて、第２の傾斜面に鍔が接触した状態を拡大して示す断面図である。
【図２７】図２６に示された状態からスペーサを更に規制位置に向かって変位させて、第２の傾斜面に沿って鍔が移動した状態を拡大して示す断面図である。
【図２８】図２７に示された状態から鍔の面が挟み部の端面に重なった状態を拡大して示す断面図である。
【図２９】図１に示された光コネクタのフェルールの鍔の変形例を示す説明図である。
【図３０】図１に示された光コネクタのフェルールの鍔の他の変形例を示す説明図である。
【図３１】図１に示された光コネクタのフェルールの鍔の更に他の変形例を示す説明図である。
【符号の説明】
１  光コネクタ
２ａ  第１のフェルール
２ｂ  第２のフェルール
６  光ファイバ
９  筒部
１１ａ  鍔（第１の凸部）
１１ｂ  鍔（第２の凸部）
１６ａ  第１の格納室
１６ｂ  第２の格納室
２６ａ  第１のランス（第１の係止部）
２６ｂ  第２のランス（第２の係止部）
２８ａ  第１の段差部
２８ｂ  第２の段差部
３０  コネクタハウジング
３１ｂ  第１の開口部（第１の通し孔）
３２ｂ  第２の開口部（第２の通し孔）
Ｔ１  鍔の厚み（第１の凸部の厚み）
Ｔ２  鍔の厚み（第２の凸部の厚み）
Ｄ１  鍔の外径（第１の凸部の最長部における長さ）
Ｄ２  鍔の外径（第２の凸部の最長部における長さ）
【図１】
0003896035.tif 000002
【図２】
0003896035.tif 000003
【図３】
0003896035.tif 000004
【図４】
0003896035.tif 000005
【図５】
0003896035.tif 000006
【図６】
0003896035.tif 000007
【図７】
0003896035.tif 000008
【図８】
0003896035.tif 000009
【図９】
0003896035.tif 000010
【図１０】
0003896035.tif 000011
【図１１】
0003896035.tif 000012
【図１２】
0003896035.tif 000013
【図１３】
0003896035.tif 000014
【図１４】
0003896035.tif 000015
【図１５】
0003896035.tif 000016
【図１６】
0003896035.tif 000017
【図１７】
0003896035.tif 000018
【図１８】
0003896035.tif 000019
【図１９】
0003896035.tif 000020
【図２０】
0003896035.tif 000021
【図２１】
0003896035.tif 000022
【図２２】
0003896035.tif 000023
【図２３】
0003896035.tif 000024
【図２４】
0003896035.tif 000025
【図２５】
0003896035.tif 000026
【図２６】
0003896035.tif 000027
【図２７】
0003896035.tif 000028
【図２８】
0003896035.tif 000029
【図２９】
0003896035.tif 000030
【図３０】
0003896035.tif 000031
【図３１】
0003896035.tif 000032